(57)【要約】      （修正有）【課題】外部からの荷重に対する裏打ち材の強度を維持しながら、結露水や雨水を効果的に排出できる通気性と排水性に優れた裏打ち材を提供する。【解決手段】屋根材と屋根の野地面との間に配置される裏打ち材１であって、野地当接側の面に、屋根の勾配方向に形成される両端開口の溝３が、屋根の水平方向に所定間隔毎に複数条設けられており、前記裏打ち材１を屋根の水平方向に切断したときの裏打ち材１の断面積をＳ１とし、裏打ち材１の野地当接側の面と各溝３の内壁面とのなす空間部の断面積の合計面積をＳ２としたときに、Ｓ１とＳ２とが、  ３≦［Ｓ２／（Ｓ１＋Ｓ２）］×１００≦２０（％）の関係を満たす範囲で設けられている。【選択図】図１
2006328742.tif 000002
【特許請求の範囲】
【請求項１】
屋根材と屋根の野地面との間に配置される裏打ち材であって、
野地当接側の面に、屋根の勾配方向に形成される両端開口の溝が、屋根の水平方向に所定間隔毎に複数条設けられており、
前記裏打ち材を屋根の水平方向に切断したときの裏打ち材の断面積をＳ１とし、裏打ち材の野地当接側の面と各溝の内壁面とのなす空間部の断面積の合計面積をＳ２としたときに、Ｓ１とＳ２とが、
３≦［Ｓ２／（Ｓ１＋Ｓ２）］×１００≦２０（％）
の関係を満たす範囲で設けられていることを特徴とする裏打ち材。
【発明の詳細な説明】
【技術分野】
【０００１】
本発明は、屋根材と屋根の野地面との間に配置される裏打ち材に関するもので、特に、結露水や雨水を効果的に排出できる通気性と排水性に優れた裏打ち材に関する。
【背景技術】
【０００２】
従来、屋根材と屋根の野地面との間に裏打ち材を配置した屋根構造として、裏打ち材を屋根の野地面に軒から棟に向かって一部を重ねながら段に葺き、野地面と裏打ち材の野地当接側の面との間に空気等の流通路となる空隙が形成されるようにした屋根構造が提案されている（例えば、特許文献１参照）。
しかしながら、この屋根構造では、野地面と裏打ち材との間の空隙が大きいため、外部からの荷重に対する裏打ち材の強度が低い上、裏打ち材の棟側端部が野地面と屋根の水平方向に隙間なく当接しているため、雨水や結露水の逃げ道がなく野地面に水が溜まり、野地面が腐食したり家屋の内部に水が浸入して雨漏りが生じる恐れがある。
また、積雪の多い寒冷地では、屋根裏の暖かい空気によって一旦溶けた融雪水が軒先付近で再び凍って氷の堰を形成し、後から流れてきた融雪水が塞き止められて屋根材の裏面にまわって裏打ち材の内部で氷結する現象が起こりやすいため、特に、寒冷地特有の現象に対応可能な優れた排水性を有する裏打ち材が切望されている。
【特許文献１】特許第３５３３６１５号公報
【発明の開示】
【発明が解決しようとする課題】
【０００３】
本発明は、上記問題点に鑑みてなされたものであって、その目的とするところは、外部からの荷重に対する裏打ち材の強度を維持しながら、結露水や雨水を効果的に排出できる通気性と排水性に優れた裏打ち材を提供することにある。
【課題を解決するための手段】
【０００４】
本発明の裏打ち材は、屋根材と屋根の野地面との間に配置される裏打ち材であって、野地当接側の面に、屋根の勾配方向に形成される両端開口の溝が、屋根の水平方向に所定間隔毎に複数条設けられており、前記裏打ち材を屋根の水平方向に切断したときの裏打ち材の断面積をＳ１とし、裏打ち材の野地当接側の面と各溝の内壁面とのなす空間部の断面積の合計面積をＳ２としたときに、
Ｓ１とＳ２とが、
３≦［Ｓ２／（Ｓ１＋Ｓ２）］×１００≦２０（％）
の関係を満たす範囲で設けられていることを特徴とするものである。
【発明の効果】
【０００５】
本発明は、上記のように、屋根材と屋根の野地面との間に配置される裏打ち材であって、野地当接側の面に、屋根の勾配方向に形成される両端開口の溝が、屋根の水平方向に所定間隔毎に複数条設けられており、前記裏打ち材を屋根の水平方向に切断したときの裏打ち材の断面積をＳ１とし、裏打ち材の野地当接側の面と各溝の内壁面とのなす空間部の断面積の合計面積をＳ２としたときに、Ｓ１とＳ２とが、
３≦［Ｓ２／（Ｓ１＋Ｓ２）］×１００≦２０（％）
の関係を満たす範囲で設けられているので、
外部からの荷重に対する裏打ち材の強度を維持しながら、野地面と裏打ち材との間の通気性と排水性とを確保でき、屋根の勾配方向に流れる結露水、雨水、融雪水を効果的に排出することができる。
【発明を実施するための最良の形態】
【０００６】
以下、本発明にかかる一実施形態について、図面に基づいて説明する。
本実施形態にかかる裏打ち材１は、発泡ポリスチレン製で、図１，図２に示すように、屋根材当接側の面（以下、上面という）１０１に、屋根の水平方向（以下、幅方向という）に所定間隔毎に屋根材の裏面形状に沿う複数の山部２が形成されており、野地当接側の面（以下、下面という）１０２に、屋根の勾配方向（以下、前後方向という）に形成される両端開口の溝３，３，３・・・が、幅方向全体にわたって、所定間隔毎に複数条設けられている。そして、前記裏打ち材を幅方向に切断したときの裏打ち材の断面積をＳ１とし、裏打ち材の野地当接側の面と各溝の内壁面とのなす空間部の断面積の合計面積をＳ２としたときに、
Ｓ１とＳ２とが、
３≦［Ｓ２／（Ｓ１＋Ｓ２）］×１００≦２０（％）
の関係を満たす範囲で設けられている。
なお、裏打ち材の材質としては、上記の発泡ポリスチレンに限られず、発泡ポリウレタンなどの他の合成樹脂発泡体でもよいし、合成木材でもよい。
そして、裏打ち材１は、図３，図４に示すように、野地面Ｎと屋根材Ａとの間に配置される。
【０００７】
屋根材Ａとしては、例えば、厚さ０．３ｍｍのアルミニウムと亜鉛との合金めっきを施した鋼板をプレス加工やロール加工等で成形加工してなるもので、図３，図４に示すように、幅方向に裏打ち材１の上面形状と略同一形状の複数の山部Ｂが形成された本体部Ｃと、本体部Ｃの前端部から下方に屈曲形成される前端折り返し部Ｄと、本体部Ｃの後端部から上方に屈曲形成され、前端折り返し部Ｄに嵌合可能な後端折り返し部Ｅとを備えたものを使用する。本体部Ｃは、幅方向長さが裏打ち材１とほぼ同じ寸法であるとともに、前後方向長さが裏打ち材１よりも長く形成されている。なお、屋根材Ａの材質は、成形加工性、切断容易性を損なわないものであれば特に限定されず、上記の鋼板以外では、塩化ビニル樹脂被覆鋼板、ステンレス鋼板、アルミニウム鋼板などでも構わない。また、鋼板の厚さとしては、上記寸法に限定されないが、製造時の加工性、すなわち、切断や折り曲げ加工のし易さや重量などを考慮し、１．０ｍｍ以下が好適である。さらに、前端折り返し部Ｄと後端折り返し部Eとは、防水性を向上させるためにハゼ折り加工されたものが好適である。
【０００８】
屋根への取り付け手順としては、まず、裏打ち材１の下面を屋根の野地面Nに当接させるとともに、屋根の野地面Nの軒側端部に固定されている横木Ｗに裏打ち材１の前端部を突合せる。次に、裏打ち材１の上方から屋根材Ａを被せる。このとき、屋根材Ａの前端折り返し部Ｄを屋根の軒側に配置し、屋根材Ａの後端折り返し部Ｅを屋根の棟側に配置して、裏打ち材１の上面に形成されている山部Ｂに屋根材Ａの裏面に形成されている山部Ｂを合わせるようにして設置する。
そして、屋根材Ａと裏打ち材１とを図示しない固定具を打ち込むことによって屋根の野地面Nに固定する。同様にして、屋根の棟側に２段目の裏打ち材１を設置する。２段目の裏打ち材１に屋根材Ａを被せるときには、屋根材Ａの前端折り返し部Ｄを１段目の本体部Ｃの後端折り返し部Ｅに嵌合させて、屋根材Ａ，Ａ同士を固定する。この手順を繰り返して、棟部まで屋根を葺設する。なお、図示していないが、屋根の野地面Nには、アスファルトルーフィング等の下地材が敷設されているとともに、前記横木Ｗには、屋根の勾配方向に排水部が形成されている。
【０００９】
本実施形態の裏打ち材１によれば、外部からの荷重に対する強度を維持しながら、野地面Nと裏打ち材１との間の通気性と排水性とを確保でき、結露の発生を効果的に防止できる上、結露が発生したり、屋根材Aの継ぎ目から雨水が浸入した場合であっても、結露水や雨水を裏打ち材１に形成された溝３，３，３・・・を介して屋根の勾配方向に速やかに排出することができ、野地の腐食や雨漏りを効果的に防止できる。また、寒冷地においては、積雪による融雪水が屋根材Aの継ぎ目から浸入した場合であっても、溝３，３，３・・・を介して屋根の勾配方向に速やかに排出でき、上述した寒冷地特有の現象を回避できる。
【００１０】
なお、溝３，３，３・・・の断面形状は、特に限定されず、例えば、半円状、波形状、角状、台形状が挙げられ、曲げ応力に対する応力の集中を低減できる半円状が好ましい。
【００１１】
（実施例）
以下、実施例および比較例について図面を用いて説明する。
実施例１の裏打ち材１ａは、発泡ポリスチレン製で、図１に示すように、幅方向長さ８８０ｍｍ，前後方向長さ１００ｍｍで、野地当接側の面を基準とする最小厚さｔ１が１８ｍｍ、山部Bの頂部における最大厚さｔ２が３４ｍｍとなっている。また、山部Ｂの頂部間のピッチは１８０ｍｍである。そして、図２に示すように、裏打ち材１ａの下面には、裏打ち材１ａの前後方向に形成される半径２ｍｍの断面半円状の凹部と半径２ｍｍの断面半円状の凸部とが裏打ち材１ａの幅方向全体に渡って繰り返し連続して設けられて、深さｄ＝４ｍｍ，ピッチｐ＝８ｍｍの波形の溝３０，３０，３０・・・が形成されている。なお、以下の他の実施例および比較例については、特に指定した要件以外は実施例１と同様であるため、詳細な説明を省略する。
【００１２】
実施例２の裏打ち材１ｂは、図５（１）に示すように、その下面１０２に、前後方向に形成される半径１ｍｍの断面半円状の凹部と半径１ｍｍの断面半円状の凸部とが幅方向全体に渡って繰り返し連続して設けられて、深さｄ＝２ｍｍ，ピッチｐ＝４ｍｍの波形の溝３１，３１，３１・・・が形成されている。
【００１３】
実施例３の裏打ち材１ｃは、図５（２）に示すように、その下面１０２に裏打ち材１ｃの前後方向に形成される半径４ｍｍの断面半円状の凹部と半径４ｍｍの断面半円状の凸部とが幅方向全体に渡って繰り返し連続して設けられて、深さｄ＝８ｍｍ，ピッチｐ＝１６ｍｍの波形の溝３２，３２，３２・・・が形成されている。
【００１４】
実施例４の裏打ち材１ｄは、図５（３）に示すように、その下面１０２に、前後方向に形成される半径ｒ１＝２ｍｍの断面半円状の溝部３３，３３，３３・・・が、ピッチｐ＝３０ｍｍで設けられている。
【００１５】
実施例５の裏打ち材１ｅは、図５（４）に示すように、その下面１０２に、前後方向に形成される半径５ｍｍの断面半円状の凹部と半径５ｍｍの断面半円状の凸部とが裏打ち材１の幅方向全体に渡って繰り返し連続して設けられて、深さｄ＝１０ｍｍ，ピッチｐ＝２０ｍｍの波形の溝３４，３４，３４・・・が形成されている。
【００１６】
比較例１の裏打ち材１ｆは、図６（１）に示すように、その下面１０２において山部Bの頂部と対向する位置に、前後方向に形成される半径ｒ１＝２ｍｍの断面半円状の溝部３５，３５，３５・・・が、ピッチｐ＝１８０ｍｍで設けられている。
【００１７】
比較例２の裏打ち材１ｇは、図６（２）に示すように、その下面１０２に、前後方向に形成される半径ｒ１＝２ｍｍの断面半円状の溝部３６，３６，３６・・・が、ピッチｐ＝４０ｍｍで設けられている。
【００１８】
比較例３の裏打ち材１ｈは、図６（３）に示すように、その下面１０２に、前後方向に形成される半径ｒ１＝２ｍｍの断面半円状の溝部３７，３７，３７・・・が、ピッチｐ＝５０ｍｍで設けられている。
【００１９】
比較例４の裏打ち材１ｉは、図６（４）に示すように、その下面１０２に、前後方向に形成される半径０．５ｍｍの断面半円状の凹部と半径０．５ｍｍの断面半円状の凸部とが裏打ち材１の幅方向全体に渡って繰り返し連続して設けられて、深さｄ＝１ｍｍ，ピッチｐ＝２ｍｍの波形の溝３８，３８，３８・・・が形成されている。
【００２０】
比較例５の裏打ち材１ｊは、図６（５）に示すように、その下面１０２に、前後方向に形成される半径６ｍｍの断面半円状の凹部と半径６ｍｍの断面半円状の凸部とが裏打ち材１の幅方向全体に渡って繰り返し連続して設けられて、深さｄ＝１２ｍｍ，ピッチｐ＝２４ｍｍの波形の溝３９，３９，３９・・・が形成されている。
【００２１】
（評価手法）実施例および比較例の排水性能について、以下の方法で評価した。
１．合板Ｆ（厚さ１２ｍｍ）にアスファルトルーフィングＧを敷設し、測定対象となる        裏打ち材１（１ａ〜１ｊ）と、屋根材Aとを固定する。
２．合板を水平面に対して２０°傾斜させた状態で固定する。
３．裏打ち材１（１ａ〜１ｊ）の後端部側から一定量（１００cc）の水を流す。
４．裏打ち材１（１ａ〜１ｊ）から完全に水が排出されるまでの時間を計測する。
【００２２】
（評価結果）測定結果および評価を下表に示す。
【００２３】
【表１】
2006328742.tif 000003
（注１）ｋ≡［Ｓ２／（Ｓ１＋Ｓ２）］×１００とする。
（注２）強度については、実施例，比較例の断面形状において、厚さ１００ｍｍの試験体を発泡ポリスチレン（４０倍発泡）で作成し、スパン３００ｍｍで３点曲げ試験を実施した結果であり、最も強度の高かった比較例３の測定値を１として表記し，その他の測定値を比較例３に対する比率に換算している。
（注３）評価については、水抜け時間と強度とを指標に判断しており、水抜け時間の長すぎるもの（概ね１０秒以上）と、強度の低いもの（概ね０．７未満）については、不適とした。
【００２４】
（結論）
上記評価結果により、裏打ち材の下面に、屋根の勾配方向に形成される両端開口の溝の構成としては、裏打ち材を屋根の水平方向に切断したときの裏打ち材の断面積をＳ１とし、裏打ち材の野地当接側の面と各溝の内壁面とのなす空間部の断面積の合計面積をＳ２としたときに、Ｓ１とＳ２とが、
３≦［Ｓ２／（Ｓ１＋Ｓ２）］×１００≦２０（％）
の関係を満たす範囲で設けられていることが必要である。
なお、溝は、裏打ち材の幅方向に連続して設けられていてもよいし、所定間隔あけて設けられていてもよいが、波状の溝の場合は、深さ４ｍｍ〜２０ｍｍ、半円状の溝の場合は、半径２ｍｍ〜１０ｍｍの範囲であることが好ましく、ピッチは４〜４０ｍｍであることが好ましい。また、水抜け時間と強度とのバランスを考慮すると、上記割合が１０％程度であることが好ましく、実施例１の溝の仕様が最良であるとの見解を得た。
【図面の簡単な説明】
【００２５】
【図１】本発明の一実施形態にかかる裏打ち材１の斜視図である。
【図２】実施例１にかかる裏打ち材１ａの溝形状の一部を拡大して示す断面図である。
【図３】図１に示す裏打ち材１を用いた屋根構造を示す説明図である。
【図４】図３に示す屋根構造を屋根の勾配方向に切断して示す説明図である。
【図５】（１）実施例２にかかる裏打ち材１ｂの溝形状の一部を拡大して示す断面図である。（２）実施例３にかかる裏打ち材１ｃの溝形状の一部を拡大して示す断面図である。（３）実施例４にかかる裏打ち材１ｄの溝形状の一部を拡大して示す断面図である。（４）実施例５にかかる裏打ち材１ｅの溝形状の一部を拡大して示す断面図である。
【図６】（１）比較例１にかかる裏打ち材１ｆの溝形状の一部を拡大して示す断面図である。（２）比較例２にかかる裏打ち材１ｇの溝形状の一部を拡大して示す断面図である。（３）比較例３にかかる裏打ち材１ｈの溝形状の一部を拡大して示す断面図である。（４）比較例４にかかる裏打ち材１ｉの溝形状の一部を拡大して示す断面図である。（５）比較例５にかかる裏打ち材１ｊの溝形状の一部を拡大して示す断面図である。
【図７】評価試験の手法を示す説明図である。
【符号の説明】
【００２６】
Ａ      屋根材
Ｎ      野地面
１      裏打ち材
３      溝
【図１】
2006328742.tif 000004
【図２】
2006328742.tif 000005
【図３】
2006328742.tif 000006
【図４】
2006328742.tif 000007
【図５】
2006328742.tif 000008
【図６】
2006328742.tif 000009
【図７】
2006328742.tif 000010